(57)【特許請求の範囲】
【請求項１】
地図情報に含まれない新施設を示す新施設情報を取得する新施設情報取得部と、
前記地図情報に基づいて表示部に地図を表示させ、現在日時が前記新施設の利用開始日を含む期間であって、予め決められた期間である強調期間内である場合に、前記地図上の前記新施設の位置において前記新施設を強調表示する地図表示部と、
を備える地図表示システム。
【請求項２】
前記地図表示部は、前記現在日時が前記強調期間外である場合に、前記新施設の強調表示を行わない、請求項１に記載の地図表示システム。
【請求項３】
前記新施設情報は、
前記新施設の利用開始日を含み、
前記地図表示部は、
強調表示された前記新施設が利用者によって選択された場合、前記利用開始日に関する情報を表示する、請求項１又は２に記載の地図表示システム。
【請求項４】
前記地図表示部は、
前記強調期間内に前記新施設に対応づけて当該新施設の前記利用開始日を表示する、
請求項１〜３のいずれか１項に記載の地図表示システム。
【請求項５】
前記地図表示部は、
前記利用開始日において前記新施設の利用が開始されたことを示す表示を行う、
請求項１〜請求項４のいずれかに記載の地図表示システム。
【請求項６】
前記新施設情報は、
前記強調期間を示す情報を含む、
請求項１〜請求項５のいずれかに記載の地図表示システム。
【請求項７】
前記新施設情報は、
前記新施設の名称を含み、
前記地図表示部は、
前記新施設の名称を表示する、
請求項１〜請求項６のいずれかに記載の地図表示システム。
【請求項８】
前記新施設は、
新たに開通する道路である、
請求項１〜請求項７のいずれかに記載の地図表示システム。
【請求項９】
コンピュータを、
地図情報に含まれない新施設を示す新施設情報を取得する新施設情報取得部と、
前記地図情報に基づいて表示部に地図を表示させ、現在日時が前記新施設の利用開始日を含む期間であって、予め決められた期間である強調期間内である場合に、前記地図上の前記新施設の位置において前記新施設を強調表示する地図表示部
として機能させる地図表示プログラム。
【発明の詳細な説明】
【技術分野】
【０００１】
本発明は、地図表示システムおよび地図表示プログラムに関する。
【背景技術】
【０００２】
従来、地図情報に基づいて地図の表示等を行う技術が知られている。例えば、特許文献１においては、地図内で未開通の道路と開通している道路とを異なる態様で表示する技術が開示されている。また、特許文献２においては、開通予定日を過ぎている道路を使用可能な道路データとして用いる技術が開示されている。
【先行技術文献】
【特許文献】
【０００３】
【特許文献１】特開平１０−３３２４０４号公報
【特許文献２】特開平７−４９２３８号公報
【発明の概要】
【発明が解決しようとする課題】
【０００４】
従来技術のように、既存の地図情報に含まれない新施設が誕生し、情報配信等によって新施設情報が利用可能になる構成において、新施設情報の表示態様が他の施設の表示態様と異なると、新施設情報が認識しやすくなる。しかし、時間が経過すると新施設は新しい施設ではなくなっていく。従って、新施設がいつまでも他の施設と区別されていると、利用者にとって煩わしい。
本発明は、前記課題にかんがみてなされたもので、新施設を新施設として扱う価値が高い場合に新施設であることを利用者に認識させる技術を提供することを目的とする。
【課題を解決するための手段】
【０００５】
上記の目的を達成するため、地図表示システムは、地図情報に含まれない新施設を示す新施設情報を取得する新施設情報取得部と、前記地図情報に基づいて表示部に地図を表示させ、予め決められた強調期間内に前記地図上の前記新施設を強調表示する地図表示部と、を備える。
【０００６】
また、上記の目的を達成するため、地図表示プログラムは、コンピュータを、地図情報に含まれない新施設を示す新施設情報を取得する新施設情報取得部、前記地図情報に基づいて表示部に地図を表示させ、予め決められた強調期間内に前記地図上の前記新施設を強調表示する地図表示部、として機能させる。
【０００７】
以上のように、地図表示システム、プログラムにおいては、予め決められた強調期間内に地図上の新施設を強調表示する。従って、新施設を新施設として扱う価値が高い場合に新施設であることを利用者に認識させることができる。また、強調期間外においては地図上の新施設が強調表示されない。この結果、新施設を新施設として扱う価値が低い場合には表示上で新施設と扱わないことになり、利用者に他の施設と同等の状態で新施設を認識させることができる。
【図面の簡単な説明】
【０００８】
【図１】地図表示システムを示すブロック図である。
【図２】図２Ａは地図表示処理を示すフローチャート、図２Ｂは選択受付処理を示すフローチャートである。
【図３】図３Ａ〜図３Ｃは表示部上の表示例を示す図である。
【発明を実施するための形態】
【０００９】
ここでは、下記の順序に従って本発明の実施の形態について説明する。
（１）ナビゲーションシステムの構成：
（２）地図表示処理：
（３）選択受付処理：
（４）他の実施形態：
【００１０】
（１）ナビゲーションシステムの構成：
図１は、本発明の一実施形態である地図表示システムとして機能するナビゲーションシステム１０の構成を示すブロック図である。ナビゲーションシステム１０は、ＣＰＵ、ＲＡＭ、ＲＯＭ等を備える制御部２０を備えており、制御部２０は、当該ＲＯＭや記録媒体３０に記録された所望のプログラムを実行することができる。本実施形態においては、このプログラムの一つとして地図表示プログラム２１を実行可能である。当該地図表示プログラム２１は、道路や道路周辺の地物等の施設を含む地図を表示させる機能を制御部２０に実現させることができる。
【００１１】
記録媒体３０には地図情報３０ａが予め記録されている。地図情報３０ａは、交差点に対応するノードの位置、標高等を示すノードデータ、ノード間の道路の形状を特定するための形状補間点の位置等を示す形状補間点データ、ノード同士の連結を示すリンクデータ、建築物や店舗等の地物の位置を示す地物データ等を含んでいる。本実施形態においては、新施設が建築物等の地物および道路を施設と呼ぶ。また、本実施形態においては、リンクデータが示す各道路および地物データが示す各地物に対し、これらの施設をユニークに特定するための施設ＩＤが対応づけられている。
【００１２】
本実施形態において、地図情報３０ａはナビゲーションシステム１０の運用過程で更新され得る。すなわち、新しい施設が現れた場合、当該新施設を示す新施設情報に基づいて地図情報３０ａが更新される。新施設が道路である場合、ノードデータや形状補間点データ、リンクデータが更新され、道路ネットワークの変化を含めた状態で新施設を示す情報が追加される。新施設が建築物等の地物である場合、地物データが更新される。
【００１３】
さらに、記録媒体３０には、運用過程で施設ＩＤ情報３０ｂが記録される。施設ＩＤ情報３０ｂは、新施設の名称、利用開始日、強調期間を示す情報を含み、地図情報３０ａにおいて更新された施設の施設ＩＤにこれらの情報が対応づけられている。すなわち、上述のように、新施設情報によって地図情報３０ａが更新された場合、更新された新施設の名称と、当該新施設を利用可能になる利用開始日と、当該新施設を強調表示する期間を示す強調期間とが新施設情報から抽出され、施設ＩＤが対応づけられて施設ＩＤ情報３０ｂとして記録媒体３０に記録される。
【００１４】
なお、本実施形態において、新施設情報は新施設の利用開始日より前に生成され、ナビゲーションシステム１０に対して送信される。また、強調期間は、新施設が新施設として扱われることが利用者にとって価値が高い期間であり、新施設情報の鮮度が新しいと見なすことができる期間である。本実施形態において強調期間のデフォルトは、送信日から一定の期間である。そして、本実施形態においては、新施設情報の送信日からデフォルトである一定の期間が経過するまでの期間内に利用開始日が含まれるように、新施設情報がナビゲーションシステム１０に対して送信される。
【００１５】
従って、本実施形態においては、強調期間が利用開始日を含むように構成されている。なお、強調期間はデフォルトでは送信日から一定の期間（例えば、３０日）であるが、本実施形態において強調期間は各新施設の新施設情報に含まれるため、本実施形態では新施設毎に強調期間を変化させることができる。従って、例えば、注目度の高い施設や完成が当初の予定より遅れる施設であれば強調期間を他の施設より長期にするなど、施設毎に好ましい強調期間を設定することができる。
【００１６】
ナビゲーションシステム１０が利用される車両は、ＧＰＳ受信部４１と車速センサ４２とジャイロセンサ４３と通信部４４とユーザＩ／Ｆ部４５とを備えている。ＧＰＳ受信部４１は、ＧＰＳ衛星からの電波を受信し、図示しないインタフェースを介して車両の現在位置を算出するための信号を出力する。車速センサ４２は、車両が備える車輪の回転速度に対応した信号を出力する。制御部２０は、図示しないインタフェースを介してこの信号を取得し、車速を取得する。ジャイロセンサ４３は、車両の水平面内の旋回についての角加速度を検出し、車両の向きに対応した信号を出力する。制御部２０は、この信号を取得して車両の進行方向を取得する。制御部２０は、車速センサ４２およびジャイロセンサ４３等の出力信号に基づいて車両の走行軌跡を特定することで車両の現在位置を取得する。ＧＰＳ受信部４１の出力信号は、車速センサ４２およびジャイロセンサ４３等から特定される車両の現在位置を補正するなどのために利用される。
【００１７】
通信部４４は、ナビゲーションシステム１０の外部に存在する新施設情報管理システム５０と無線によって通信を行うための回路を備えている。新施設情報管理システム５０は、ナビゲーションシステム１０の地図情報３０ａのバージョン管理を行うシステムである。新施設情報管理システム５０は、地図情報３０ａに含まれない新施設が建造される場合、その完成（利用開始日）前に新施設を示す新施設情報を生成し、ナビゲーションシステム１０に対して送信する。
【００１８】
本実施形態において、新施設情報には、新施設情報を地図情報３０ａに組み込むための情報（道路であれば、ノード、形状補間点の位置やリンク関係を示す情報、施設ＩＤ等）と、施設ＩＤ情報３０ｂとして記録される情報（新施設の名称、利用開始日、強調期間を示す情報、施設ＩＤ）が含まれている。制御部２０は、通信部４４を介して新施設情報管理システム５０から新施設情報を取得し、地図情報３０ａへのマージと施設ＩＤ情報３０ｂの抽出および記録を行う。
【００１９】
ユーザＩ／Ｆ部４５は、利用者の指示を入力し、また利用者に各種の情報を提供するためのインタフェース部である。本実施形態においてユーザＩ／Ｆ部４５は、図示しないタッチパネルディスプレイからなる入力部を兼ねた表示部やスピーカー等の出力音の出力部を備えている。
【００２０】
本実施形態における地図表示プログラム２１は、地図表示を行う機能を制御部２０に実現させるため、新施設情報取得部２１ａと地図表示部２１ｂとを備えている。新施設情報取得部２１ａは、地図情報３０ａに含まれない新施設を示す新施設情報を取得する機能を制御部２０に実現させるプログラムモジュールである。すなわち、制御部２０は、予め決められたトリガに応じて通信部４４を介して新施設情報管理システム５０に対して、新施設情報が新たに生成されたか否かを問い合わせる。地図情報３０ａにマージされていない新施設情報が存在する場合、新施設情報管理システム５０は制御部２０の問い合わせに対する返答としてマージされていない新施設情報を送信する。
【００２１】
新施設情報管理システム５０が、新施設情報を送信すると、制御部２０は、新施設情報から新施設情報を地図情報３０ａに組み込むための情報を抽出する。そして、制御部２０は、抽出された情報を地図情報３０ａに対して組み入れる。例えば、新施設が新たに開通する道路であれば、制御部２０は、ノード、形状補間点の位置、リンク関係を示す情報を抽出し、新しい道路を含めた道路ネットワークを示すようにノードデータ、形状補間点データ、リンクデータを更新する。また、制御部２０は、抽出された施設ＩＤを新しい道路に対して対応づける。
【００２２】
さらに、制御部２０は、新施設情報から施設ＩＤ情報３０ｂとして記録されるべき情報を抽出し、施設ＩＤ情報３０ｂとして記録媒体３０に記録する。すなわち、制御部２０は、新施設情報から新施設の名称、利用開始日、強調期間を示す情報、施設ＩＤを抽出し、施設ＩＤ情報３０ｂに追加する。
【００２３】
地図表示部２１ｂは、地図情報３０ａに基づいて表示部に地図を表示させ、予め決められた強調期間内に地図上の新施設を強調表示する機能を制御部２０に実現させるプログラムモジュールである。制御部２０は、記録媒体３０に記録された地図情報３０ａを参照し、表示対象領域（例えば、車両の現在地を含む領域や利用者が指定した領域等）の地図の画像データを生成する。
【００２４】
画像データが生成されると、制御部２０は、ユーザＩ／Ｆ部４５の表示部に対して当該画像データおよび制御信号を出力する。この結果、表示部には、表示対象領域の地図が表示される。本実施形態において、地図を構成する各施設のデフォルトの表現態様は予め決められており、例えば、店舗の種類毎に予め用意されたアイコンや道路の種類毎に決められた太さおよび色の線で地図を示す画像が生成される。
【００２５】
一方、地図に新施設が含まれる場合、現在日時が強調期間に含まれるのであれば、制御部２０は、当該新施設の表示態様をデフォルトの態様ではなく強調された態様にする。現在日時が強調期間外であれば、制御部２０は、新施設を強調表示しない。新施設を強調表示するための態様は、例えば、道路においてデフォルトの色をより目立つ色に変更し、太さをより太くするなどのように予め決められている。
【００２６】
そこで、制御部２０は、施設ＩＤ情報３０ｂに記述された施設ＩＤの施設が表示対象領域に含まれるか否かを地図情報３０ａが示す各施設の位置に基づいて判定する。そして、施設ＩＤ情報３０ｂに記述された施設ＩＤの施設が表示対象領域に含まれる場合、制御部２０は、当該施設を予め決められた強調表示の態様で強調した画像を描画し、描画された画像を表示するための制御信号をユーザＩ／Ｆ部４５の表示部に対して出力する。この結果、表示部においては、新施設が強調表示される。
【００２７】
以上の構成によれば、地図が表示される際、予め決められた強調期間内であれば地図上で新施設が強調表示される。従って、新施設を新施設として扱う価値が高い場合に新施設であることを利用者に認識させることができる。また、強調期間外においては新施設が強調表示されないため、新施設を新施設として扱う価値が低い場合に、利用者に他の施設と同等の状態で新施設を認識させることができる。
【００２８】
また、本実施形態における強調期間は利用開始日を含む期間である。利用開始日は、当該利用開始日以後であれば新施設が利用可能であり、それより前には新施設が利用不可能であるため、利用者にとって当該利用開始日の情報は価値が高く利用者の関心は高いと考えられる。従って、利用開始日が強調期間に含まれる本実施形態によれば、利用者の関心が高い日とその前後の期間に強調表示が行われるように構成することができる。
【００２９】
（２）地図表示処理：
次に、地図表示処理について詳細に説明する。図２Ａは、地図表示処理のフローチャートである。ナビゲーションシステム１０が起動された場合、制御部２０は、地図表示処理の実行を開始する。なお、制御部２０は、地図表示処理と並行して新施設情報を取得する処理も行っている。すなわち、制御部２０は、新施設情報取得部２１ａの処理により、予め決められたトリガに応じて通信部４４を介して新施設情報管理システム５０に対して、新施設情報が新たに生成されたか否かを問い合わせる。地図情報３０ａにマージされていない新施設情報が存在する場合、制御部２０は、地図情報３０ａにマージされていない新施設情報を取得し、地図情報３０ａへのマージと施設ＩＤ情報３０ｂの更新を行う。
【００３０】
地図表示処理においては、地図の表示対象領域が車両の現在地または利用者の指示によって特定される。すなわち、制御部２０は、ＧＰＳ受信部４１，車速センサ４２，ジャイロセンサ４３の出力信号に基づいて車両の現在地を取得する。そして、制御部２０は、車両の現在地が表示部の特定の位置に配置されるように、表示部における地図の表示対象領域を車両の現在地に応じて変化させる。また、利用者が表示部をタッチするなどして特定の位置を中心とする地図を表示させる指示を行った場合、制御部２０は、当該特定の位置を中心とした領域を表示対象領域とする。
【００３１】
地図表示処理が開始されると、制御部２０は、地図表示を行う（ステップＳ１００）。すなわち、制御部２０は、地図表示部２１ｂの処理により、地図情報３０ａを参照し、表示対象領域に含まれる道路や建築物等の施設の位置を特定し、各施設を示すデフォルトの画像（アイコン等）を特定し、各施設の画像を含む地図を描画するための情報を生成する。そして、制御部２０は、当該地図を描画するための情報をユーザＩ／Ｆ部４５の表示部に対して出力する。この結果、ユーザＩ／Ｆ部４５の表示部には、表示対象領域の地図が表示される。
【００３２】
次に、制御部２０は、地図表示部２１ｂの処理により、施設ＩＤ情報３０ｂを参照する（ステップＳ１０５）。すなわち、制御部２０は、初期の地図情報３０ａに含まれていなかった施設の施設ＩＤを示す情報を取得し、新施設として配信された施設を特定する。次に、制御部２０は、地図表示部２１ｂの処理により、地図内に新施設が存在するか否かを判定する（ステップＳ１１０）。すなわち、制御部２０は、ステップＳ１００で表示された地図の表示対象領域を特定し、地図情報３０ａを参照して当該表示対象領域内に存在する施設の施設ＩＤを特定する。そして、当該表示対象領域内に存在する施設の施設ＩＤとステップＳ１０５で取得された施設ＩＤとが一致する場合、制御部２０は、地図内に新施設が存在すると判定する。
【００３３】
次に、制御部２０は、地図表示部２１ｂの処理により、新施設を取得する（ステップＳ１１５）。すなわち、制御部２０は、ステップＳ１１０において地図内に存在すると判定された新施設を強調表示され得る新施設として取得する。次に、制御部２０は、地図表示部２１ｂの処理により、現在時刻を取得する（ステップＳ１２０）。すなわち、制御部２０は、図示しない計時回路やＧＰＳ受信部４１の出力信号等に基づいて現在時刻を取得する。
【００３４】
次に、制御部２０は、地図表示部２１ｂの処理により、利用開始日および強調期間を取得する（ステップＳ１２５）。すなわち、制御部２０は、ステップＳ１１５で取得された新施設のうち、ステップＳ１２５〜Ｓ１４０のループ処理で判定対象となっていない新施設を判定対象とみなす。そして、制御部２０は、施設ＩＤ情報３０ｂを参照し、当該判定対象の新施設の施設ＩＤに対応づけられた利用開始日および強調期間を取得する。
【００３５】
次に、制御部２０は、地図表示部２１ｂの処理により、現在時刻が強調期間内であるか否かを判定する（ステップＳ１３０）。すなわち、制御部２０は、判定対象の新施設の施設ＩＤに対応づけられた強調期間内と現在時刻とを比較し、現在時刻が判定対象の新施設の強調期間内であるか否かを判定する。
【００３６】
ステップＳ１３０において、現在時刻が強調期間内であると判定された場合、制御部２０は、地図表示部２１ｂの処理により、新施設を強調表示する（ステップＳ１３５）。すなわち、制御部２０は、判定対象の新施設に対応づけられた施設ＩＤをキーにして地図情報３０ａを参照し、当該施設ＩＤが対応づけられた施設を特定する。施設の種類毎の強調表示の態様は予め決められており、例えば、道路においてデフォルトの色をより目立つ色に変更し、太さをより太くするなどのように予め決められている。
【００３７】
そこで、制御部２０は、地図情報３０ａを参照し、施設ＩＤに基づいて新施設の位置を特定し、当該位置の施設を予め決められた強調態様で強調した画像を生成する。そして、制御部２０は、当該画像を地図上に表示するための制御信号をユーザＩ／Ｆ部４５の表示部に対して出力する。この結果、表示部においては、新施設が強調表示される。
【００３８】
一方、ステップＳ１３０において、現在時刻が強調期間内であると判定されない場合、制御部２０は、ステップＳ１３５をスキップする。次に、制御部２０は、地図表示部２１ｂの処理により、地図内に存在する全ての新施設を判定対象としたループ処理が終了したか否かを判定し（ステップＳ１４０）、ステップＳ１４０において、全ての新施設を判定対象としたループ処理が終了したと判定されるまでステップＳ１２５以降の処理を繰り返す。
【００３９】
図３Ａおよび図３Ｂは、新施設の強調表示例を示す図である。これらの図においては、ユーザＩ／Ｆ部４５の表示部に表示される地図や地図更新の際のメッセージ等を示している。また、これらの図において、道路を直線等で示し、車両の現在地をアイコンＣで示している。
【００４０】
図３Ａにおいては、制御部２０が新施設情報取得部２１ａの処理によって新施設情報を取得した場合に地図上に表示されるメッセージＭの例を示している。ステップＳ１００によって地図が表示されている状態において、制御部２０が新施設情報管理システム５０から新施設情報を取得した場合、制御部２０は、新施設情報の地図情報３０ａへのマージと施設ＩＤ情報３０ｂの記録とを行う。このとき、制御部２０は、地図情報の更新が行われたことを示すメッセージＭを示す画像を生成し、ユーザＩ／Ｆ部４５の表示部に表示させる。図３Ａは当該メッセージＭの例である。
【００４１】
この例においてメッセージＭには、地図更新が完了したことを示す表示と、更新された施設を確認する指示と確認しない指示とを行うためのボタンがデフォルトの表示内容として含まれる。すなわち、制御部２０は、メッセージＭの画像を生成する際に、これらのデフォルトの表示内容を示す画像をメッセージＭの画像に含めるように画像を生成する。さらに、メッセージＭには、配信された新施設の名称を示す情報が含まれる。すなわち、制御部２０は、施設ＩＤ情報３０ｂを参照し、更新されたばかりの新施設の施設ＩＤに対応づけられた施設の名称を取得する。そして、制御部２０は、当該施設の名称を示す文字列をメッセージＭ内に含めた画像を生成する。
【００４２】
以上のように、新施設情報が配信された直後においては、地図上にメッセージＭが表示される。利用者は、当該メッセージＭに表示されたボタンで新施設を確認することができる。すなわち、制御部２０は、ユーザＩ／Ｆ部４５の出力信号に基づいて確認するボタン、確認しないボタンのいずれがタッチされたかを判定する。確認するボタンがタッチされた場合、制御部２０は、新施設の指定を受け付け、受け付けた新施設に関する表示（施設名称および利用開始日の表示）を行う。図３Ｃは、新施設である道路Ａが選択された場合の例を示しており、ボックスＢに新施設の名称「道路Ａ」と利用開始日が表示されている例を示している。確認しないボタンがタッチされた場合、制御部２０は、メッセージＭを消去し、ステップＳ１００の地図を表示させる。
【００４３】
ステップＳ１００以降の地図表示処理が行われている場合、制御部２０は、ステップＳ１０５，Ｓ１１０によって地図内に新施設が含まれているか否かを判定する。図３Ｂは、地図内に新施設である道路Ａが含まれ、かつ、現在が道路Ａの強調期間内である場合の例である。この場合、ステップＳ１１０の判定を経て道路Ａが新施設として取得され、ステップＳ１２０〜Ｓ１３０の処理により、現在時刻が道路Ａの強調期間内であると判定される。従って、制御部２０は、ステップＳ１３５において道路Ａを強調表示する。図３Ｂにおいては、道路Ａが他の道路よりも太い線で表示されることによって強調される様子を示している。
【００４４】
（３）選択受付処理：
次に、図２Ｂに示すフローチャートに基づいて選択受付処理について詳細に説明する。選択受付処理は、予め決められた期間毎（例えば、１００ｍｓ毎）、または、利用者による選択開始指示が行われた場合に実行される。選択受付処理において、制御部２０は、地図表示部２１ｂの処理により、新施設が選択されたか否かを判定する（ステップＳ２００）。すなわち、制御部２０は、ユーザＩ／Ｆ部４５の出力信号に基づいて地図上で利用者がタッチした位置を特定する。さらに、制御部２０は、ユーザＩ／Ｆ部４５に対して制御信号を出力し、当該位置に利用者の指示位置を示すアイコン（例えば、図３ＣのアイコンＩ）を表示させる。そして、制御部２０は、当該アイコン内に施設が含まれる場合に、地図情報３０ａを参照して施設ＩＤを特定し、当該施設ＩＤが施設ＩＤ情報３０ｂに含まれる場合に、新施設が選択されたと判定する。
【００４５】
次に、制御部２０は、地図表示部２１ｂの処理により、現在時刻を取得する（ステップＳ２０５）。すなわち、制御部２０は、図示しない計時回路やＧＰＳ受信部４１の出力信号等に基づいて現在時刻を取得する。次に、制御部２０は、地図表示部２１ｂの処理により、利用開始日、名称および強調期間を取得する（ステップＳ２１０）。すなわち、制御部２０は、施設ＩＤ情報３０ｂを参照し、選択された新施設の施設ＩＤに対応づけられた利用開始日、名称および強調期間をする。
【００４６】
次に、制御部２０は、地図表示部２１ｂの処理により、現在時刻が強調期間内であるか否かを判定する（ステップＳ２１５）。ステップＳ２１５において、現在時刻が強調期間内であると判定された場合、制御部２０は、地図表示部２１ｂの処理により、新施設の名称及び利用開始日を表示する（ステップＳ２２０）。すなわち、制御部２０は、ステップＳ２１０において取得された新施設の利用開始日および名称を示す画像を生成する。そして、制御部２０は、当該画像を地図上に表示するための制御信号をユーザＩ／Ｆ部４５の表示部に対して出力する。この結果、表示部においては、図３Ｃに示すように、新施設の名称および利用開始日を示すボックスＢが表示される。
【００４７】
以上の構成においては、新施設の強調期間内に新施設が利用者に選択された場合に名称および利用開始日が表示される。従って、強調表示された新施設が利用者によって選択された場合に、利用開始日に関する情報である新施設の名称および利用開始日が表示されることになる。この構成によれば、利用者が新施設に関心を持って新施設を選択した場合に、利用者は新施設の名称および利用開始日を認識することができる。以上の構成によれば、利用者の関心が高い情報である利用開始日を利用者に通知することができる。また、新施設を容易に特定することが可能な情報である名称を利用者に通知することができる。
【００４８】
（４）他の実施形態：
以上の実施形態は本発明を実施するための一例であり、予め決められた強調期間内に地図上の新施設を強調表示する限りにおいて、他にも種々の実施形態を採用可能である。例えば、ナビゲーションシステム１０とともに移動する移動体は任意であり、車両であっても良いし、歩行者であっても良く、種々の例が想定される。また、地図表示システムは、車両等に搭載された装置であっても良いし、可搬型の端末によって実現される装置であっても良いし、複数の装置（例えば、クライアントとサーバ）によって実現されるシステムであっても良い。
【００４９】
さらに、地図表示システムを構成する新施設情報取得部２１ａ、地図表示部２１ｂの少なくとも一部が複数の装置に分かれて存在していても良い。むろん、上述の実施形態の一部の構成が省略されてもよいし、処理の順序が変動または省略されてもよい。例えば、図２Ｂに示す選択受付処理が省略されてもよいし、新施設に関する情報から名称、利用開始日のいずれか一方が省略されてもよいし、より明示的な指示によって表示される構成であってもよい。
【００５０】
新施設情報取得部は、地図情報に含まれない新施設を示す新施設情報を取得することができればよい。すなわち、新施設情報取得部は、通信や記録媒体からの読み込み等によって既存の地図情報において施設として記録されていない施設である新施設を示す新施設情報を取得することができればよい。新施設情報の管理態様は、種々の態様を想定可能であり、地図情報に組み込まれてもよいし、地図情報と新施設情報とが別個に管理されてもよいし、新施設情報の一部が地図情報に組み込まれ、一部が地図情報と別個に管理されてもよい。施設は地図上に表示し得る任意の地物であり、種類は限定されない。このような施設としては、例えば、新たに開通する道路や新たに建築された建築物、新規開店の施設等が挙げられる。
【００５１】
地図表示部は、地図情報に基づいて表示部に地図を表示させ、予め決められた強調期間内に地図上の新施設を強調表示することができればよい。すなわち、地図表示部は、記録媒体に記録された地図情報を参照し、任意の領域の地図を任意の縮尺で表示部に表示することができる。地図表示部は、このような地図の表示において、強調期間内であれば新施設を強調表示し、強調期間外であれば新施設を強調表示しない。
【００５２】
強調表示は、新施設と既存の施設とを区別できるような表示態様であれば良く、例えば、地図上で施設を示す画像の線の種類や色、大きさ、図形の形状等を新施設と他の施設とで変化させる構成例が挙げられる。むろん、新施設と既存の施設とで種類や大きさ等が異なる事によって表示態様が異なっていてもよい。例えば、施設が道路である場合において、高速道路と一般道路の太さが異なってもよく、このような表示態様の差異は強調期間外であっても維持される。
【００５３】
強調期間は、新施設が新施設として扱われることが利用者にとって価値が高い期間であれば良く、例えば、新施設情報の鮮度が新しい（取得後の経過時間が閾値よりも短い）と見なされる期間が予め定義され、当該期間が強調期間となる構成を採用可能である。強調期間は、固定の長さの期間であってもよいし、可変の長さの期間であってもよい。後者としては、例えば、新施設情報が強調期間を示す情報を含む構成等によって実現可能である。この構成によれば、新施設毎に固有の強調期間を定義することができ、新施設毎に強調期間を可変にすることができる。
【００５４】
強調表示の価値を高めるような強調期間の例として、強調期間が利用開始日を含むような態様が挙げられる。この構成は、例えば、新施設情報に新施設の利用開始日が含まれ、強調期間が利用開始日を含むような例によって実現可能である。新施設の利用開始日は施設毎に異なり得るが、新施設情報に各新施設の利用開始日を含める構成とすれば、新施設情報の取得によって新施設の利用開始日が把握されるように構成される。
【００５５】
利用開始日は、当該利用開始日以後であれば新施設が利用可能であり、それより前には新施設が利用不可能であるため、利用者にとって当該利用開始日の情報は価値が高く利用者の関心は高いと考えられる。従って、利用開始日が強調期間に含まれる構成であれば、利用者の関心が高い日とその前後の期間に強調表示が行われるように構成することができる。なお、強調表示の態様は、固定の態様であってもよいし可変の態様であってもよい。後者としては、例えば、利用開始日の前後で強調表示の態様が変化する構成等であってもよい。
【００５６】
むろん、強調期間内に、新施設に対応づけて他の情報、例えば、当該新施設の利用開始日や新施設の名称等が表示される構成であってもよい。前者は、新施設情報に新施設の利用開始日が含まれる構成において当該利用開始日が取得され、表示される構成によって実現可能である。この構成によれば、利用者の関心が高い情報を利用者に通知することができる。後者は、新施設情報に新施設の名称が含まれる構成において当該名称が取得され、表示される構成によって実現可能である。この構成によれば、新施設を容易に特定することが可能な情報を利用者に通知することができる。
【００５７】
さらに、強調表示された新施設が利用者によって選択された場合に、利用開始日に関する情報が表示される構成であってもよい。この構成によれば、利用者が新施設に関心を持って新施設を選択した場合に、利用者は利用開始日を認識することができる。利用開始日に関する情報は、種々の態様を想定可能であり、利用開始日自体であってもよいし、利用開始日に利用が開始される新施設の名称であってもよいし、利用開始日の遅延の有無に関する情報等（工事の進捗情報等）であってもよく、種々の構成を採用可能である。
【００５８】
利用開始日に関する情報は、他にも種々の態様を想定可能であり、例えば、利用開始日において新施設の利用が開始されたことを示す表示を行う構成であってもよい。すなわち、施設の建築過程において予定が遅れるなど、種々の理由で初期の利用開始日が変更になる場合がある。そこで、利用開始日において実際に利用が開始されたか否かを示す情報が地図表示システムに送信されるなどして特定されれば、利用開始日に新施設の利用が開始されたか否かを表示することができる。
【００５９】
この構成によれば、利用者にとって価値の高い情報を利用者に対して提供することができる。利用が開始されたことを示す表示は、利用開始日において実際に利用が開始されたことを利用者が認識することができればよく、利用開始日において利用可能であるか否かを示す情報が表示されてもよいし、利用開始日より前と利用開始日以後とで新施設に関する表示内容（例えば、新施設を示すアイコン等）が変化する構成であってもよい。
【００６０】
この構成は、例えば、図３Ｂに示す例において、強調期間内においては新施設である道路Ａが太い線で表示され、かつ、利用開始日より前においては道路Ａが破線で表示され、利用開始日以後においては道路Ａが実線で表示される構成等によって実現可能である。むろん、利用開始日より前において道路Ａは探索等に利用されず、利用開始日以後に探索等に利用されるように構成されていても良い。
【００６１】
さらに、本発明のように、予め決められた強調期間内に地図上の新施設を強調表示する手法は、プログラムや方法としても適用可能である。また、以上のようなシステム、プログラム、方法は、単独の装置として実現される場合や、複数の装置によって実現される場合が想定可能であり、各種の態様を含むものである。例えば、以上のような構成を備えたナビゲーションシステムや方法、プログラムを提供することが可能である。また、一部がソフトウェアであり一部がハードウェアであったりするなど、適宜、変更可能である。さらに、システムを制御するプログラムの記録媒体としても発明は成立する。むろん、そのソフトウェアの記録媒体は、磁気記録媒体であってもよいし光磁気記録媒体であってもよいし、今後開発されるいかなる記録媒体においても全く同様に考えることができる。
【符号の説明】
【００６２】
１０…ナビゲーションシステム、２０…制御部、２１…地図表示プログラム、２１ａ…新施設情報取得部、２１ｂ…地図表示部、３０…記録媒体、３０ａ…地図情報、３０ｂ…施設ＩＤ情報、４１…ＧＰＳ受信部、４２…車速センサ、４３…ジャイロセンサ、４４…通信部、４５…ユーザＩ／Ｆ部、５０…新施設情報管理システム
【図１】
0006748457.tif 000002
【図２】
0006748457.tif 000003
【図３】
0006748457.tif 000004